(57)【特許請求の範囲】
【請求項１】
緩やかに撚り合わせた三本の引き込み線を互いに離間させて、これらの引き込み線間の距離を保持する一対のスペーサを備え、
前記スペーサは、仮想円周を設ける外縁部から突出して閉鎖された曲面を形成する曲面部を有し、
前記曲面部は、所定の肉厚を有するように成形され、
前記外縁部には、三本の前記引き込み線の各軸中心が正三角形の各頂点に位置するように、前記曲面部の略中心に向かって窪んだ三つの溝部を設けており、
両端部が前記曲面部の中央部に当接可能な伸縮棒を更に備える引き込み線用相間スペーサ。
【請求項２】
前記スペーサは、板状部材が成形され、剛性を有する請求項１記載の引き込み線用相間スペーサ。
【請求項３】
前記スペーサは、湾曲可能な弾性板からなる請求項１記載の引き込み線用相間スペーサ。
【発明の詳細な説明】
【技術分野】
【０００１】
本発明は、引き込み線用相間スペーサに関する。特に、引き込み線の改修工事を容易にするための相間スペーサの構造に関する。
【背景技術】
【０００２】
架空配電線などは、これら並行導体間の距離を保持する相間スペーサが取り付けられている。相間スペーサを架空配電線に適宜に取り付けることで、各送電線や複数の回線の混線又は接触を防止できる。
【０００３】
このような相間スペーサとしては、繊維強化プラスチック棒上に複数個の電線引留用ブッシュ部材を配設し、三相の各相間に対する笠部材を繊維強化プラスチック棒上に配設したラインスペーサにおいて、電線引留用ブッシュ部材の材質を笠部材の材質よりも高硬度とし、笠部材の材質を電線引留用ブッシュ部材の材質よりも良弾性とした架空配電線用ラインスペーサが開示されている（例えば、特許文献１参照）。
【０００４】
特許文献１による架空配電線用ラインスペーサは、電線引留用ブッシュ部材における電線の安定な固定及び笠部材の欠け損の防止を共に、満足に行い得る、としている。
【０００５】
又、このような相間スペーサとしては、電力ケーブルを相離隔配置縦スネーク布設するときのスペーサとして、軟質ＰＶＣ、ポリエチレンクロロプレンゴムなどの合成樹脂製で断面形状が電力ケーブルの外周と密着する中空三角形状の相離隔配置縦スネーク用スペーサが開示されている（例えば、特許文献２参照）。
【０００６】
特許文献２による相離隔配置縦スネーク用スペーサは、安価で取り付け作業性のよい、相離隔配置の電力ケーブル縦スネーク用スペーサを提供できる、としている。
【先行技術文献】
【特許文献】
【０００７】
【特許文献１】特開平８−５１７１６号公報
【特許文献２】特開平９−３２２３７２号公報
【発明の概要】
【発明が解決しようとする課題】
【０００８】
低圧架空の引き込み線は、幹線の架空配電線から一般家庭などに配電している。この引き込み線は、物理的な損傷、又は経年変化により不良箇所が発生することがある。引き込み線の不良原因は、主として飛来物などによる損傷、断線である。そして、改修工事は、新しい電線を張り替えるのであるが、多くの場合、全ての電線を張り替えるのではなく、不良となっている引き込み線（電線）の一部のみが改修される。
【０００９】
上述した改修工事には、電柱と家屋側の支持点に懸架された引き込み線を地上に降ろし、改修した引き込み線を再び電柱と家屋側の支時点に懸架する方法がある。一方、上述した改修工事には、引き込み線を懸架した状態のまま、不良箇所を改修する方法もある。
【００１０】
「早期送電」や「作業の容易性」を考慮すると、高所作業車を利用できる環境であれば、後者の改修方法が一般に実施されている。そして、高所作業車を利用した改修工事は、以下に述べる理由から、２人の作業者を必要としていた。
【００１１】
一般に、低圧架空の引き込み線は、三本の電線が緩やかに撚り合わせた状態で懸架されている。したがって、電線の一部を改修するためには、一方の作業者が撚り合わされた電線を互いに離間するように保持し、他方の作業者が不良箇所を改修していた。
【００１２】
しかし、このような高所作業車での改修工事は、次のような問題があった。その第１は、撚り合わされた硬い電線を互いに離間するために、一方の作業者が相当の腕力（体力）を必要とすることである。その第２は、撚り合わされた電線を互いに離間するように、人力で保持するため、不良箇所を有する電線が不安定になることである。
【００１３】
その第３は、不良の電線が多くは活線状態で改修されるため、不安定な状態が発生すると、作業員が短絡の危険性にさらされることである。その第４は、改修工事が二人で実施されるので、作業効率がよくないことである。
【００１４】
上述した問題を解決するため、相間スペーサを用いて、このような３本の電線からなる引き込み線を改修工事することが考えられる。しかし、特許文献１による架空配電線用ラインスペーサは、略平行に延びる複数の電線の離間距離を維持することは容易であるが、緩やかに撚り合わせた三本の電線を互いに離間させることは、その棒状の構造からして困難である。
【００１５】
又、特許文献２による相離隔配置縦スネーク用スペーサは、断面が中空三角形状のスペーサから三本の電力ケーブルが離反しないように、ロープ又は紐で結束されている。したがって、緩やかに撚り合わせた三本の電線を互いに離間させて、改修のための所要の空間を作りだすことは困難である。
【００１６】
緩やかに撚り合わせた三本の引き込み線を互いに離間させて、改修のための所要の空間を作りだす相間スペーサが実現できれば、高所での活線改修工事を安全に、かつ効率よく実施できる。
【００１７】
本発明は、このような課題に鑑みてなされたものであり、緩やかに撚り合わせた三本の引き込み線を互いに離間させて、改修のための所要の空間を作り、安全性が確保され、かつ効率よく改修工事が可能な引き込み線用相間スペーサを提供することを目的とする。
【課題を解決するための手段】
【００１８】
本発明者らは、緩やかに撚り合わせた三本の引き込み線が正三角形の各頂点に位置するように拡散させる位置決め溝を有する板状の一対のスペーサで相間スペーサを構成することにより、これらの課題が解決可能なことを見出し、これに基づいて、以下のような新たな引き込み線用相間スペーサを発明するに至った。
【００１９】
（１）本発明による引き込み線用相間スペーサは、緩やかに撚り合わせた三本の引き込み線を互いに離間させて、これらの引き込み線間の距離を保持する一対のスペーサを備え、前記スペーサは、仮想円周を設ける外縁部から突出して閉鎖された曲面を形成する曲面部を有し、前記曲面部は、所定の肉厚を有するように成形され、前記外縁部には、三本の前記引き込み線の各軸中心が正三角形の各頂点に位置するように、前記曲面部の略中心に向かって窪んだ三つの溝部を設けている。
【００２０】
（２）前記スペーサは、板状部材が成形され、剛性を有する。
【００２１】
（３）前記スペーサは、湾曲可能な弾性板からなる。
【００２２】
（４）本発明による引き込み線用相間スペーサは、両端部が前記曲面部の中央部に当接可能な伸縮棒を更に備える。
【発明の効果】
【００２３】
本発明による引き込み線用相間スペーサは、緩やかに撚り合わせた三本の引き込み線を互いに離間させて、改修のための所要の空間を作りだすことができるので、高所作業車での安全性が確保され、かつ効率よく改修工事が可能である。
【図面の簡単な説明】
【００２４】
【図１】本発明の一実施形態による引き込み線用相間スペーサの構成を示す斜視図であり、三本の引き込み線の間に一対のスペーサを配置した状態図である。
【図２】前記実施形態による引き込み線用相間スペーサの縦断面図であり、三本の引き込み線の間に伸縮棒を介して一対のスペーサを配置した状態図である。
【図３】前記実施形態による引き込み線用相間スペーサの縦断面図であり、三本の引き込み線の間に一対のスペーサを配置した状態図である。
【図４】前記実施形態による引き込み線用相間スペーサの縦断面図であり、三本の引き込み線の間に弾性を有する一対のスペーサを配置した状態図である。
【図５】前記実施形態の第１実施例によるスペーサの平面図である。
【図６】前記実施形態の第２実施例によるスペーサの平面図である。
【図７】前記実施形態の第３実施例によるスペーサの平面図である。
【発明を実施するための形態】
【００２５】
以下、図面を参照して本発明を実施するための形態を説明する。
［引き込み線用相間スペーサの構成］
最初に、本発明の一実施形態による引き込み線用相間スペーサの構成を説明する。図１は、本発明の一実施形態による引き込み線用相間スペーサの構成を示す斜視図であり、三本の引き込み線の間に一対のスペーサを配置した状態図である。図２は、前記実施形態による引き込み線用相間スペーサの縦断面図であり、三本の引き込み線の間に伸縮棒を介して一対のスペーサを配置した状態図である。
【００２６】
図１及び図２を参照すると、本発明の実施形態による引き込み線用相間スペーサ（以下、相間スペーサと略称する）１０は、一対のスペーサ１・１を備えている。スペーサ１は、緩やかに撚り合わせた三本の引き込み線ｗ１・ｗ２・ｗ３を互いに離間させている。そして、スペーサ１は、これらの引き込み線ｗ１・ｗ２・ｗ３の間の距離を保持している。
【００２７】
スペーサ１は、その外縁部１１に仮想円周Ｖｃを設けている。又、スペーサ１は、外縁部１１から突出して、閉鎖された曲面を形成する曲面部１２を有している。曲面部１２は、所定の肉厚を有するように成形されている。なお、図１では、スペーサ１を平坦な状態で描いている。
【００２８】
外縁部１１には、三つの溝部１１１・１１２・１１３を設けている。これらの溝部１１１・１１２・１１３は、三本の引き込み線ｗ１・ｗ２・ｗ３の各軸中心が正三角形の各頂点に位置するように形成されている。又、これらの溝部１１１・１１２・１１３は、曲面部１２の略中心に向かって窪んでいる。
【００２９】
図１及び図２を参照すると、三本の引き込み線ｗ１・ｗ２・ｗ３には、一対のスペーサ１・１を配置している。これらのスペーサ１・１は、それらの外縁部１１が対向するように配置している。これらのスペーサ１・１は、三本の引き込み線ｗ１・ｗ２・ｗ３が延びる方向に所定の間隔を設けている。
【００３０】
なお、三本の引き込み線ｗ１・ｗ２・ｗ３は、同じものであるが説明の便宜上、符号を変えて区別した。同様に、三つの溝部１１１・１１２・１１３は、同じ形状であるが説明の便宜上、符号を変えて区別した。
【００３１】
相間スペーサ１０は、伸縮棒８を更に備えている。伸縮棒８は、一対のスペーサ１・１の間に配置されている。伸縮棒８は、固定パイプ８ａ、移動パイプ８ｂ、及びグリップ８ｃを備えている。グリップ８ｃは、固定パイプ８ａの端部に螺合している。
【００３２】
グリップ８ｃを一方の方向に回転すると、固定パイプ８ａと移動パイプ８ｂとを相対的に伸縮できる。グリップ８ｃを他方の方向に回転すると、固定パイプ８ａと移動パイプ８ｂとを固定できる。
【００３３】
図１及び図２では、相間スペーサ１０は、伸縮棒８の両端部が一対の曲面部１２・１２の各中央部に当接して、一対のスペーサ１・１を所定の間隔に維持している。
【００３４】
［引き込み線用相間スペーサの作用］
次に、実施形態による相間スペーサ１０の構成を補足しながら、相間スペーサ１０の作用及び効果を説明する。図３は、前記実施形態による引き込み線用相間スペーサの縦断面図であり、三本の引き込み線の間に一対のスペーサを配置した状態図である。図４は、前記実施形態による引き込み線用相間スペーサの縦断面図であり、三本の引き込み線の間に弾性を有する一対のスペーサを配置した状態図である。
【００３５】
図１及び図２を参照すると、実施形態によるスペーサ１は、三本の引き込み線ｗ１・ｗ２・ｗ３の各軸中心が正三角形の各頂点に位置するように、曲面部１２の略中心に向かって窪んだ三つの溝部１１１・１１２・１１３を外縁部１１に設けている。したがって、緩やかに撚り合わせた三本の引き込み線ｗ１・ｗ２・ｗ３を拡散するように、互いに離間できる。
【００３６】
なお、三本の引き込み線ｗ１・ｗ２・ｗ３が緩やかに撚り合わされているとは、これらの引き込み線ｗ１・ｗ２・ｗ３が所定の捩れ角に至るまで、十分な長さ（距離）を有していることを意味している。
【００３７】
緩やかに撚り合わせた三本の引き込み線ｗ１・ｗ２・ｗ３は、互いに密着（結束）するような力が作用している。そして、三本の引き込み線ｗ１・ｗ２・ｗ３は、三つの溝部１１１・１１２・１１３に阻止されて、これらの引き込み線ｗ１・ｗ２・ｗ３の間の距離を保持することができる。
【００３８】
そして、実施形態による相間スペーサ１０は、一対のスペーサ１・１を三本の引き込み線ｗ１・ｗ２・ｗ３が延びる方向に所定の間隔を設けて、配置することにより、三本の引き込み線ｗ１・ｗ２・ｗ３に改修のための所要の空間を作りだすことができる。
【００３９】
図１及び図２を参照すると、伸縮棒８は、その両端部にピン８１を突出している。一方、スペーサ１は、その中央部にピン８１に嵌合する穴１ａを開口している。したがって、伸縮棒８の両端部に一対のスペーサ１・１を予め取り付けて、三本の引き込み線ｗ１・ｗ２・ｗ３の間に組み込むこともできる。
【００４０】
具体的には、一対のスペーサ１・１を三本の引き込み線ｗ１・ｗ２・ｗ３の間に配置した後に、改修工事を実施する。改修工事の多くは、三本の引き込み線ｗ１・ｗ２・ｗ３の内の一本が対象となる。
【００４１】
例えば、改修作業は、次のように実施される。最初に、引き込み線ｗ１の損傷部分が除去される。次に、引き込み線ｗ１の切断された端末が正常の電線（芯線）にスリーブで圧着される。そして、切断された端末同士が正常の電線で接続される。最後に、切断された端末及び正常の電線が露出しないように、絶縁テープで被覆して、改修作業を終了する。
【００４２】
上述した改修作業を円滑に実施するためには、一対のスペーサ１・１は、８０ｃｍ程度の距離をとることが好ましい。又、スペーサ１の外径は、１０ｃｍから１２ｃｍ程度が携帯上、好ましい。三本の引き込み線ｗ１・ｗ２・ｗ３の軸中心の直線距離は、８ｃｍ程度が絶縁テープを被覆するために好ましい。
【００４３】
又、実施形態によるスペーサ１は、仮想円周Ｖｃを設ける外縁部１１から突出して閉鎖された曲面を形成する曲面部１２を有している。したがって、曲面部１２を三本の引き込み線ｗ１・ｗ２・ｗ３の結束側に配置すれば、三本の引き込み線ｗ１・ｗ２・ｗ３の急激な折れ曲がりを緩和できる。
【００４４】
図１及び図２において、実施形態による相間スペーサ１０は、伸縮棒８を用いて、一対のスペーサ１・１を所定の距離に維持している。しかし、上述したように、三本の引き込み線ｗ１・ｗ２・ｗ３は、互いに密着（結束）するような力が作用しているので、スペーサ１を単独で三本の引き込み線ｗ１・ｗ２・ｗ３に保持することもできる。
【００４５】
図３は、伸縮棒８を用いることなく、一対のスペーサ１・１を三本の引き込み線ｗ１・ｗ２・ｗ３に組み込んだ状態を示している。この場合、一対のスペーサ１・１が三本の引き込み線ｗ１・ｗ２・ｗ３から脱落しないように、針金などの紐状体９でスペーサ１を三本の引き込み線ｗ１・ｗ２・ｗ３の結束側に繋留しておくことが好ましい。図３では、紐状体９の一端部を三本の引き込み線ｗ１・ｗ２・ｗ３の結束側に繋留し、紐状体９の他端部をスペーサ１の穴１ａに繋留している。
【００４６】
図１から図３に示されたスペーサ１は、板状部材が成形されてよく、剛性を有している。スペーサ１は、絶縁体が好ましく、絶縁性を有する合成樹脂を成形してもよく、展開された金属板を成形した後に絶縁被覆してもよい。
【００４７】
又、スペーサ１は、ゴムなどの湾曲可能な弾性板からなってもよく、図４に示されるように、円板状のスペーサ１を三本の引き込み線ｗ１・ｗ２・ｗ３に取り付けたときに、弾性変形して、曲面部１２を形成するように構成してもよい。
【００４８】
次に、第１実施例から第３実施例によるスペーサの構成を説明する。図５は、前記実施形態の第１実施例によるスペーサの平面図である。図６は、前記実施形態の第２実施例によるスペーサの平面図である。図７は、前記実施形態の第３実施例によるスペーサの平面図である。
【００４９】
図５に示された第１実施例によるスペーサ１は、円板状に形成されている。スペーサ１の外縁部１１の一部は、仮想円周Ｖｃを共有している。外縁部１１には、三本の引き込み線ｗ１・ｗ２・ｗ３の各軸中心が正三角形の各頂点に位置するように、略中心に向かって窪んだ三つの溝部１１１・１１２・１１３を設けている。これらの溝部１１１・１１２・１１３は、スペーサ１を回転すると受け入れるような輪郭を形成している。
【００５０】
図６に示された第２実施例によるスペーサ２は、擬似六角形に形成されている。スペーサ２の外縁部２１の各頂点は、仮想円周Ｖｃに内接している。外縁部２１には、三本の引き込み線ｗ１・ｗ２・ｗ３の各軸中心が正三角形の各頂点に位置するように、略中心に向かって窪んだ、曲率の小さい三つの溝部２１１・２１２・２１３を設けている。
【００５１】
図７に示された第３実施例によるスペーサ３は、擬似三角形に形成されている。スペーサ３の外縁部３１の仮想の各頂点は、仮想円周Ｖｃと一致している。外縁部３１には、三本の引き込み線ｗ１・ｗ２・ｗ３の各軸中心が正三角形の各頂点に位置するように、略中心に向かって窪んだ、曲率の大きい三つの溝部３１１・３１２・３１３を設けている。
【００５２】
本発明の実施形態による一対のスペーサ１（スペーサ２・３を含む）を引き込み線に配置して、引き込み線を改修工事すれば、次のような効果を得ることができる。その第１は、撚り合わされた硬い引き込み線を互いに離間するために、腕力（体力）を必要としないので、作業者の疲労が軽減されることである。その第２は、不良の引き込み線が活線状態で改修されても、安定した状態で作業できるので、作業員が短絡の危険性にさらされないことである。
【００５３】
更に、活線状態で引き込み線を改修工事する場合には、次のような効果を得ることができる。その第１は、正常の引き込み線を保持する作業員が不要となり、改修工事が一人で実施されるので、作業効率が向上することである。
【００５４】
その第２は、引き込み線に無理な力を加えないため、引き込み線を損傷しないことである。その第３は、人手を介することなく、撚り合わされた引き込み線を互いに離間して保持できるので、安定した状態で改修工事を実施できることである。
【００５５】
その第４は、本発明の実施形態によるスペーサ１（スペーサ２・３を含む）は、携帯が可能であり、高所作業車などの狭い作業空間でも使用可能なことである。
【符号の説明】
【００５６】
１・２・３  スペーサ
１０  相間スペーサ（引き込み線用相間スペーサ）
１１・２１・３１  外縁部
１２  曲面部
１１１〜１１３・２１１〜２１３・３１１〜３１３  溝部
Ｖｃ  仮想円周
ｗ１・ｗ２・ｗ３  引き込み線
【図１】
0005496624.tif 000002
【図２】
0005496624.tif 000003
【図３】
0005496624.tif 000004
【図４】
0005496624.tif 000005
【図５】
0005496624.tif 000006
【図６】
0005496624.tif 000007
【図７】
0005496624.tif 000008